【事件の表示】
　特願２００４−３６７０００「電話機」拒絶査定不服審判事件〔平成１７年　４月１４日出願公開、特開２００５−１０２３３０〕について、次のとおり審決する。
【結　論】
　本件審判の請求は、成り立たない。
【理　由】
１．手続の経緯 
　本願は、平成４年９月８日に出願された特願平４−２３９７３５号の一部を平成１１年８月１２日に特願平１１−２２８６５８号として新たな特許出願とし、さらにその一部を平成１４年１月２４日に特願２００２−１４９７０号として新たな特許出願とし、さらにその一部を平成１６年１２月２０日に特願２００４−３６７０００号として新たな特許出願としたものであって、平成１８年１月２５日付けで拒絶査定され、同年３月２日に審判請求がなされ、同年３月３０日付けて手続補正がなされ、同年８月１５日付けで拒絶理由が通知され、同年１０月１７日付けで手続補正がなされたものである。
　
２．本願発明
　特許請求の範囲の請求項１に係る発明は、平成１８年１０月１７日付け手続補正書により補正された明細書及び図面の記載からみて、その特許請求の範囲の請求項１に記載されたものと認める。
「数字を入力するための数字キーを有する携帯電話機であって、
　文字、数字、あるいは記号を示す情報である文字情報を複数記憶する記憶手段と、
　前記記憶手段に記憶された複数の文字情報を表示画面上に２次元状に選択肢として複数表示するとともに、前記表示画面上での着目表示位置を示すカーソルを前記表示画面上に表示する表示手段と、
　上下方向と左右方向に操作可能であって、ユーザが前記上下方向および前記左右方向に操作することにより、前記表示画面上において前記カーソルを移動させ、前記複数の文字情報の中から１つの文字情報を選択する選択操作部と、を備え、
　前記表示手段は、前記表示画面上に前記選択操作部により順次選択された文字情報により形成された文字列を表示し、
　前記表示画面は前記携帯電話機の前面上部に位置し、前記数字キーは前記携帯電話機の前面下部に位置し、
　前記選択操作部は、前記数字キーと前記表示画面の間の位置で、かつ、前記携帯電話機の背面をユーザの片手で把持し、前記携帯電話機の片側の側面に前記片手の親指球を接した状態において前記片手の親指が届く位置に配置されていることを特徴とする携帯電話機。」
　
３．引用発明及び周知技術
Ａ．これに対して、当審の拒絶理由に引用された特開平４−２１６２５０号公報（以下、「引用例１」という。）には、図面とともに、以下の事項が記載されている。
　　
（ア）「【０００６】 
【実施例】本発明の携帯用電話機の一実施例を示す図１において、発信先の電話番号を入力したり格納する発信先リストを検索する場合等に使用するキー７は、中央演算処理装置（以下ＣＰＵと記す）を備えたこの携帯用電話機の動作を制御する制御部６に接続される。又、制御部６には、本電話機と電気的及び機械的に着脱可能であるカード形態のメモリカード４が接続される。尚、メモリカード４は、図２に示すように、発信先名とそれに対応する電話番号や、例えば通話を許可する回数、市内発信のみを許可する情報等が格納される読出専用メモリ（以下ＲＯＭと記す）８と、発信先、通話時間、通話料等の通話に関する情報を格納する読書可能メモリ（以下ＲＡＭと記す）９とを備えている。 
【０００７】さらに上記制御部６には、上述したキー７及びメモリカード４が送出した情報を可視的に表示する例えばＬＣＤにてなる表示部５が接続される。・・・（中略）・・・。 
【０００８】上述したような構成を成す携帯用電話機２０は、例えば図３に示すように方形状の外形形状であり従来の受話器と同様に図示のごとく上下に受話口１０及び送話口１１が設けられ、受話器上部には電波送受信用のアンテナ１が突設される。受話口１０と送話口１１との間には、上述した表示部５、キー７が配置される。 尚、キー７には、従来のプッシュホンに設けられているようなテンキー７ａの他に、表示部１に表示された複数の発信先の名称を選択するカーソルを移動させるためのカーソル移動キー７ｂ、本携帯用電話機２０の電源のオンオフを行う電源キー７ｃ、発信を行う場合に操作する発信キー７ｄが設けられる。尚、上記テンキー７ａは発信先の電話番号を入力するために使用する他、発信先の名称をリストアップする場合にも使用するため各数字キーは５０音の各行に対応する。 
【０００９】このように構成される携帯用電話機２０の動作について以下に説明する。発信を行う場合、発信者は電源キー７ｃをオン状態とし、テンキー７ａを使用し発信先の頭文字に対応する行に対応する数字のテンキー７ａを操作する。例えば、上記頭文字が「あ」であれば「あ」行に対応する「１」の数字のキーを操作する。テンキー７ａを操作することでテンキー７ａから制御部６へ信号が送出され、制御部６は当該信号に対応する発信先の名称をメモリカード４より読み出し、読み出した情報を表示部５へカーソル付きで表示する。尚、表示部５に表示される発信先の情報としては上述のように名称の他、発信先の電話番号等種々の事項が考えられる。 
【００１０】発信者は、表示された情報より発信先をカーソルキー７ｂにて選択する。尚、表示部５に表示される情報はカーソルキー７ｂを操作し続けるとスクロール表示されても良いし、あるいは表示中の情報が記載されている頁の前頁、次頁を指定するようにテンキー７ａにて操作するようにしても良い。発信先にカーソルを合わせた後、発信者は発信キー７ｄを操作する。」（２ページ２欄２７行〜３ページ３欄３７行） 
　 
（イ）図３を参照すると、表示部５を携帯用電話機２０の前面上部に、テンキー７ａを携帯用電話機２０の前面下部にそれぞれ配置することが図示されており、さらに、カーソルキー７ｂをテンキー７ａの下に配置することも図示されている。
　
（ウ）また、図３を参照すると、表示部５には、「ＡＢＣ社」、「アイワ社」の複数の文字情報を表示することが図示されている。
　
　よって、上記引用例１記載の摘記事項、関連する図面ならびにこの分野における技術常識を考慮すると、上記引用例１には以下の発明（以下、「引用発明」という。）が開示されていると認められる。  
　  
「数字を入力するための数字キーを有する携帯用電話機であって、 
　複数の文字情報を記憶する記憶手段と、 
　前記記憶手段に記憶された複数の文字情報を表示画面上に選択肢として複数表示するとともに、前記表示画面上での着目表示位置を示すカーソルを前記表示画面上に表示する表示手段と、 
　上方向と下方向に操作可能であって、ユーザが前記上方向および下方向に操作することにより、前記表示画面上において前記カーソルを移動させ、前記複数の文字情報の中から１つの文字情報を選択するカーソルキーと、を備え
　前記表示画面は携帯用電話機の前面上部に位置し、前記数字キーは携帯用電話機の前面下部に位置していることを特徴とする携帯用電話機。」
 　
Ｂ．また、当審の拒絶理由に引用された実願平３−２０９０４号（実開平４−１１００３４号）のマイクロフィルム（以下、「引用例２」という。）には、図面とともに、以下の事項が記載されている。
　 
（ア）「【産業上の利用分野】
　本考案は、携帯用小型電話機に関する。」（４ページ３〜４行）
　
（イ）「前記電話器本体１にはアンテナ４、イヤホン５，マイク１８を内蔵するとともに、この電話器本体１の表面にプッシュボタン６と液晶表示７と出力ボタン８と発信ボタン９と受信ボタン１３を備える。」（５ページ２０〜２２行）
　
（ウ）「この時、プッシュボタン６に索引機能を付加しておくことによって、例えば福田を探すのに「は」行Ｈのボタンを押して送りボタン１４、戻しボタン１５によって素速く記憶している相手先を選び出すことができる。」（６ページ１６〜１８行） 
　 
（エ）図１には、送りボタン１４、戻しボタン１５を、プッシュボタン６と液晶表示７の間に位置することが図示されている。 
　 
　上記摘記事項（ウ）の記載から、「送りボタン１４」、「戻しボタン１５」は、「複数の情報の中から１つの情報を選択する選択部」であるといえる。
　　　
　よって、上記引用例２記載の各摘記事項、関連する図面ならびにこの分野における技術常識を考慮すると、上記引用例２には以下の技術事項が開示されていると認められる。 
　 
「携帯電話機において、複数の情報の中から１つの情報を選択する選択部を、数字キーと表示画面の間の位置に配置すること。」 
　
Ｃ．また、当審の拒絶理由に引用された実願平２−９８５９６号（実開平４−５５６２９号）のマイクロフィルム（以下、「引用例３」という。）には、図面とともに、以下の事項が記載されている。
　
（ア）「本考案は前記事情に鑑みてなされたもので携帯用計算機及びコードレス電話等の使用時に荷物を持っていたり、手がふさがっていたとしても両手をフリーの状態にする必要がなく、片手で保持して表面側のプッシュボタンを自在に操作することができ、手数を要せず極めて効率的で便利な片手操作式プッシュボタン器具を提供しようとするものである。」（３ページ２〜９行） 
　 
（イ）「本考案の片手操作式プッシュボタン器具は、・・・中略・・・、表面には前記保持した片手（Ｈ）の親指（Ｆ１）の移動範囲内に各種機能を有したプッシュボタン（２）が配列されているため、片手保持のままその親指（Ｆ１）でプッシュボタン（２）を押圧して自在に操作できる。」（４ページ１〜７行） 
　 
　よって、上記引用例３に記載の摘記事項、関連する図面ならびにこの分野における技術常識を考慮すると、上記引用例３には以下の技術事項が開示されていると認められる。 
　 
「携帯電話機において、各種機能を有するボタンを、前記携帯電話機の背面をユーザの片手で把持し、前記携帯電話機の片側の側面に前記片手の親指球を接した状態において前記片手の親指が届く位置に配置すること。」 
　
Ｄ．また、特開平４−８６０３４号公報（以下、「周知例１」という。）には、図面とともに以下の事項が記載されている。
　
（ア）「［実施例］
　次に、本発明について図面を参照して説明する。
　第１図は、本発明の移動無線電話装置の一実施例を示すブロック図である。同図において、１はこの移動無線電話装置全体の制御を行うＣＰＵ、５は後述のＩＣカードが挿入されたときにこのカードに記憶されている機能の実現のために操作上の表示を行う操作表示部、６は操作表示部５上に表示された各種のキー操作を検出するタッチセンサ、７は表示部、９は挿入されるＩＣカードを検知するＩＣカード挿入検知部、１０は通話機能および無線送受信機能等を有する無線送受信部、１２は送受話器、１３はドライバ、ＳＰはスピーカ、Ａ１はアンテナ、Ｋ１は通常の発信時に操作される発信キー、Ｋ２は通話等の終了時に操作される終了キー、Ｋ３はダイヤルキー、Ｋ４は住所キー、Ｋ５は選択キー、Ｋ６はカーソルキーである。」（２ページ左上欄４行〜同右上欄２行）
　
（イ）「この表示操作部５に表示されたキーを操作すると、この表示操作部５の上部に配置されたタッチセンサ６がこのキー操作を検出してキー操作に応じた処理が行われるものとなっている。」（２ページ右上欄１３〜１７行）
　
（ウ）「また、押下されたキーが住所キーＫ４ではないと判定された場合は、ステッブ５６で操作表示部５上に表示された会社名キーの操作を判断し、これが操作された場合は、ステップ５７で“アイウエオ・・・　”等の文字一覧表が表示部７上に表示される。そして、カーソルキーＫ６を操作することにより表示された文字の下ヘカーソルを移動させて文字を選択し、次に選択キーＫ５を操作してこの選択された文字データを表示部７へ表示させるとともにＣＰＵ１内のメモリへ順次ストアする（ステップ５８）。
　こうして、入力データが表示部７上表示されるとともにこのデータがメモリヘストアされる」（２ページ右下欄最終行〜３ページ左上欄１２行）
　
（エ）第１図には、上下左右の矢印が記載されているカーソルキーＫ６が図示されている。
　
　また、特開昭６１−２８１３２６号公報（以下、「周知例２」という。）には、図面とともに以下の事項が記載されている。
　
（オ）「（イ）産業上の利用分野
　本発明は文字データ入力装置に関する。」（１ページ左下欄１７〜１８行）
　
（カ）「携帯用の電子機器ではキー数が多くなると小型化が困難となる為、設置可能なキー数に制限があり、入力される文字数が制限されるという問題が有った。」（１ページ右下欄１０〜１３行）
　
（キ）「（ニ）問題点を解決するための手段
　本発明は表示器にキーボードの文字を表示させ、カーソルキーの移動で入力を希望する文字を選択するよう構成し、且つシフトキーにより入力モードになったアルファベッド或は仮名キーボードのみを表示するよう構成したものである。
（ホ）作用
　本発明は上述のように構成したので、表示器に表示されているキーボードの文字の中から入力を希望する文字の位置にカーソルを移動させた後、選択キーを操作することにより希望した文字の入力が行われる。」（１ページ右下欄１８行〜２ページ左上欄９行）
　
（ク）「（ト）発明の効果
　上述の如く本発明の文字データ入力装置は、表示器上に入力文字を示したキーボードを表示し、カーソルの移動で入力文字を選択するよう構成したことにより、文字入力を行なうキーがカーソルキー、選択キー及びシフトキーの少数のキーで良く、携帯用の電子機器に適用して効果が大であり」（４ページ右上欄１４〜２０行目）
　
（ケ）第３図には、カーソルを右方向に移動させるカーソルキー２０、カーソルを左方向に移動させるカーソルキー２１、カーソルを下方向に移動させるカーソルキー２２、カーソルを上方向に移動させるカーソルキー２３が、それぞれ図示されている。
　
（コ）第１２図、第１３図には、表示器１０上に、順次選択された文字により形成された文字列が表示されることが図示されている。
　
　また、特開昭６２−１４４２６８号公報（以下、「周知例３」という。）には、図面とともに以下の事項が記載されている。
　
（サ）「〈産業上の利用分野〉
　本発明は、文字、符号、図形などを座標入力装置を使つて手書き等により入力してそのままを記憶装置に記憶すると共に、入力し記憶した文字図形等をそのまま表示装置に表示させることができ、小形で多くの機能を持つ電子手帳に関する。」（１ページ右下欄１〜６行）
　
（シ）「第６図に示すメモリのアプリケーションモードに入ると、先ず、ステップ１１０を実行し、予め決められたメモ用の画面表示を液晶表示板１２上に行なう。メモ用の画面表示は、例えば第９図〜第１３図に示すように作られ、画面の最上部にメモのページとＲＡＭ１９の残り容量と電池の残り容量が表示され、画面の下部にはキーボードが表示される。キーボードには通常使用されるアルファベット、数字、符号等のキャラクタキーの他、カーソル移動キー、リターンキー、シフトキー、グラフィックモードに入るためのＧＲＰキー、改頁を行なうＰＲＶキー、ＮＸＴキー、入力画面エリアの表示を消すＤＥＬキー、及びアプリケーションモード切換キー等のファンクションキーが作られている。・・・（中略）・・・。これらの切換キーは全てのモード画面において不変なため、液晶表示板を使用せず、印刷などで固定表示することもできる。」（３ページ右下欄１行〜４ページ左上欄２行）
　
（ス）「さらに、第７図のフローチヤートにおけるステップ２５０では、このときのモードが第９図〜第１２図に示すようなテキストモードか、或は第１３図に示すようなグラフイツクモードか否かを判定し、テキストモードであれば、次にステツプ２６０に進み、押されたキーが、キヤラクタキー、カーソル移動キーなどかを判定する。・・・（中略）・・・、キーがリターン又はカーソル移動キーの場合、ステツプ３１０でカーソルを所定位置へ移動し、キーがシフト又はカナキーの場合、ステツプ３２０でキーボードの表示を第９図〜第１２図に示すようなカナ或はアルフアベツト大文字又は小文字等の各種の配列に変更する。キーがバックスペース用のＢＳキーの場合、ステップ３３０にて、カーソル位置の１文字前の文字を消去する処理を行なう。
・・・（中略）・・・。
　上述のような処理が繰り返し実行されることにより、メモのアプリケーションモードにおいては、第９図〜第１３図に示す画面の空白の部分に、下部のキーボードを使用して書いたメモ書きやグラフイックキーを用いて描いた図形が書き込まれると共にＲＡＭ１９にパターンデータとしてそのまま記憶される。」（４ページ左下欄９行〜５ページ左上欄３行）
　
　また、特開平３−２１１４７号公報（以下、「周知例４」という。）には、図面とともに以下の事項が記載されている。
　
（セ）「［産業上の利用分野］
　この発明は、電話帳機能付き電話機に関し、特に電話帳へのデータ入力などを簡単なキー操作で行なえるようにしたものである。」（１ページ左下欄下から４行〜下から１行）
　
（ソ）「さて、このような構成を取る電話帳機能付き電話機の登録、検索、発信処理動作を第２図及び第３図を参照して説明する。
　登録モードから説明する。
　この場合登録キー５を押すと、第３図に示す内容のうち破線より上の内容が表示される。この例では、カナ文字で「ア」から「ヲ」までの一覧表がその半角表示を含めて表示される。横長で棒状のカーソル１１は「ア」の位置（初期位置）にあり、点滅している。
　第３図に示す破線の下側領域１３に表示された内容について、これから登録するものとする。
　そのためには、まず上下左右のカーソルキー９を用いて登録したいカナ文字のところにカーソル１１を移動させる。最初は「ス」であるから、「ス」の下側にカーソル１１を移動させ（第３図破線図示）、文字指定が終了した段階で、設定キー１０を押す。そうすると、選択したカナ文字が第３図破線の下側領域１３に表示されると共に、これが決定される。
　次に、「ズ」を選択する。濁音はテンキー８の「＊」キーによって指定できる。そうして、設定キー１０を押すと、「ズ」が破線の下側の領域に表示されると共に、これが決定される。」（２ページ右下欄８行〜３ページ左上欄１１行）
　
　また、特開平３−１０２９４９号公報（以下、「周知例５」という。）には、図面とともに以下の事項が記載されている。
　
（タ）「（産業上の利用分野）
　本発明は携帯用電話帳メモリカードを装着して使用できる電話装置に関する。」（１ページ右下欄３〜５行）
　
（チ）「電話番号の書き込み入力は、例えば、初めに氏名欄入力状態にし、このとき表示部７に五十音の一覧を表示し、これをカーソル移動とリターンキー操作により必要な文字を拾い出し、氏名欄入力が終わると次に電話番号欄入力状態にし、ダイヤルキーで４ａ電話番号を入力すると云った具合にする。」（５ページ右上欄５〜１１行）
　
（ツ）第１図には、上下左右の矢印が記載されているカーソルキー４ｂが図示されている。
　
　上記周知例１〜５の各摘記事項の記載によれば、上記周知例１〜３に記載のものは、「携帯用電子機器」に係り、上記周知例１、４、５に記載のものは電話機に係るものということができる。
　また、例えば、周知例１における「文字一覧表」、周知例２における「キーボード」、周知例４における「一覧表」等が、それぞれ表示部に表示されるためには、「文字一覧表」、「キーボード」、「一覧表」等の複数の文字情報が記憶手段に記憶されることは自明である。
　
　よって、上記周知例１〜５に開示されているように、「携帯用電子機器」及び「電話機」の両方の分野において、「文字、数字、あるいは記号を示す情報である文字情報を複数記憶する記憶手段と、前記記憶手段に記憶された複数の文字情報を表示画面上に２次元上に選択肢として複数表示するとともに、前記表示画面上での着目表示位置を示すカーソルを前記表示画面上に表示する表示手段と、上下方向と左右方向に操作可能であって、ユーザが前記上下方向又は前記左右方向に操作することにより、前記表示画面上において前記カーソルを移動させ、前記複数の文字情報の中から１つの文字情報を選択する選択操作部とを、備え、前記表示手段は、前記表示画面上に前記選択操作部により順次表示された文字情報により形成された文字列を表示させること」は周知である。
　
４．対比・判断
　本願発明と引用発明とを対比すると、引用発明の「カーソルキー」は、ユーザが操作することによりカーソルを移動させ、複数の文字情報の中から１つの文字情報を選択するものであるから、引用発明の「カーソルキー」と本願発明の「選択操作部」との間に実質的な差異はない。
　
　よって、本願発明と引用発明とは、以下の点で一致ないし相違する。
　
＜一致点＞
「数字を入力するための数字キーを有する携帯電話機であって、 
　文字情報を複数記憶する記憶手段と、 
　前記記憶手段に記憶された複数の文字情報を表示画面上に選択肢として複数表示するとともに、前記表示画面上での着目表示位置を示すカーソルを前記表示画面上に表示する表示手段と、 
　上方向と下方向に操作可能であって、ユーザが前記上方向および下方向に操作することにより、前記表示画面上において前記カーソルを移動させ、前記複数の文字情報の中から１つの文字情報を選択する選択操作部と、を備え、
　前記表示画面は前記携帯電話機の前面上部に位置し、前記数字キーは前記携帯電話機の前面下部に位置していることを特徴とする携帯電話機。」
　
＜相違点１＞
　本願発明は、「文字、数字、あるいは記号を示す情報である文字情報を複数記憶する記憶手段」を備えているのに対し、引用発明は、「複数の文字情報を記憶する記憶手段」を備えている点。
　
＜相違点２＞
　「表示手段」に関し、本願発明は、「複数の文字情報を表示画面上に２次元状に選択肢として複数表示」し、「表示画面上に前記選択操作部により順次選択された文字情報により形成された文字列を表示」しているのに対し、引用発明には、上記のような表示について明示がない点。
　
＜相違点３＞
　「選択操作部」に関し、本願発明は、「上下方向と左右方向に操作可能であって、ユーザが前記上下方向および前記左右方向に操作」するのに対し、引用発明は、「上方向と下方向に操作可能であって、ユーザが前記上方向および前記下方向に操作」する点。
　
＜相違点４＞
　「選択操作部」に関し、本願発明は、「数字キーと前記表示画面の間の位置で、かつ、前記携帯電話機の背面をユーザの片手で把持し、前記携帯電話機の片側の側面に前記片手の親指球を接した状態において前記片手の親指が届く位置に配置されている」のに対し、引用発明には、当該構成が明示されていない点。
　
　上記相違点について検討する。
　＜相違点１＞、＜相違点２＞及び＜相違点３＞について
　上記「３．引用発明及び周知技術」の「Ｄ．」の項中において示したように、「携帯用電子機器」及び「電話機」の両方の分野において、「文字、数字、あるいは記号を示す情報である文字情報を複数記憶する記憶手段と、前記記憶手段に記憶された複数の文字情報を表示画面上に２次元上に選択肢として複数表示するとともに、前記表示画面上での着目表示位置を示すカーソルを前記表示画面上に表示する表示手段と、上下方向と左右方向に操作可能であって、ユーザが前記上下方向又は前記左右方向に操作することにより、前記表示画面上において前記カーソルを移動させ、前記複数の文字情報の中から１つの文字情報を選択する選択操作部とを、備え、前記表示手段は、前記表示画面上に前記選択操作部により順次表示された文字情報により形成された文字列を表示させること」は周知である。
　そして、引用発明は、「携帯用電子機器」であって「電話機」に係るものであるから、上記周知技術と分野を共通にするとともに、上記「携帯用電子機器」及び「電話機」に係わる周知技術を引用発明に適用する上で格別な阻害要因は見あたらないから、引用発明においても、「文字、数字、あるいは記号を示す情報である文字情報を複数記憶する記憶手段」を備え、「表示手段」が「複数の文字情報を表示画面上に２次元状に選択肢として複数表示」し、「表示画面上に前記選択操作部により順次選択された文字情報により形成された文字列を表示」し、「選択操作部」が「上下方向と左右方向に操作可能であって、ユーザが前記上下方向および前記左右方向に操作」するよう構成することは当業者が容易になし得たことである。
　　
＜相違点４＞について
　上記引用例２には、「複数の情報の中から１つの情報を選択する選択部を、数字キーと表示画面の間の位置に配置する」技術事項が開示されており、また、引用例３には、「各種機能を有するボタンを、前記携帯電話機の背面をユーザの片手で把持し、前記携帯電話機の片側の側面に前記片手の親指球を接した状態において前記片手の親指が届く位置に配置する」技術事項が開示されている。 
　上記引用例１〜３に記載されたものは、「携帯電話機」という共通の技術分野に属するものであって、上記引用発明に上記引用例２の技術事項及び引用例３の技術事項を適用する上で格別な阻害要因は見あたらないから、引用発明に、上記引用例２の技術事項及び引用例３の技術事項を適用し、引用発明の「選択操作部」を「前記数字キーと前記表示画面の間の位置で、かつ、前記携帯電話機の背面をユーザの片手で把持し、前記携帯電話機の片側の側面に前記片手の親指球を接した状態において前記片手の親指が届く位置に配置」するよう構成することは当業者が容易になし得たことである。 
　
　上記相違点についての判断に加え、本願発明の作用効果も、上記引用発明、引用例２、３の技術事項及び周知技術から当業者が予測できる範囲のものである。 
　 
５．むすび 
　したがって、本願発明は、上記引用発明、引用例２、３の技術事項及び周知技術に基いて当業者が容易に発明をすることができたものであるから、特許法第２９条第２項の規定により特許を受けることができない。 
　 
　よって、結論のとおり審決する。